(57)【要約】  本発明に係る空気調和機の室内機は、天面に吸込口を有し、下部に吹出口を有し、吸込口と吹出口とが連通する風路が形成された筐体と、筐体に収納された送風機と、筐体に収納され、送風機の上流側に設置された熱交換器と、筐体に収納され、熱交換器の上流側に設置された第１フィルターと、筐体の前面側に取り付けられる前面パネルと、前面パネルの裏面に設けられた凸部と、第１フィルターとは別体として、前面パネルの裏面側であって凸部と熱交換器との間に設けられた第２フィルターと、を備えたものである。
2018158940.tif 000002
【特許請求の範囲】
【請求項１】
天面に吸込口を有し、下部に吹出口を有し、前記吸込口と前記吹出口とが連通する風路が形成された筐体と、
前記筐体に収納された送風機と、
前記筐体に収納され、前記送風機の上流側に設置された熱交換器と、
前記筐体に収納され、前記熱交換器の上流側に設置された第１フィルターと、
前記筐体の前面側に取り付けられる前面パネルと、
前記前面パネルの裏面に設けられた凸部と、
前記第１フィルターとは別体として、前記前面パネルの裏面側であって前記凸部と前記熱交換器との間に設けられた第２フィルターと、を備えた
空気調和機の室内機。
【請求項２】
前記熱交換器は、高さ方向の一部を折り曲げた曲げ部を有しており、
前記凸部、前記第２フィルター、及び、前記曲げ部が、側面視直線状に並んで配置されている
請求項１に記載の空気調和機の室内機。
【請求項３】
前記凸部、前記第２フィルター、及び、前記曲げ部が、水平方向に並んで配置されている
請求項２に記載の空気調和機の室内機。
【請求項４】
前記第２フィルターは、
空気流入面が鉛直方向となるように前記第１フィルターの一部に保持されている
請求項１〜３のいずれか一項に記載の空気調和機の室内機。
【請求項５】
前記凸部は、
前記前面パネルの表面側の一部に形成された凹部と一体的に構成されている
請求項１〜４のいずれか一項に記載の空気調和機の室内機。
【発明の詳細な説明】
【技術分野】
【０００１】
本発明は、空気清浄フィルターを備えた空気調和機の室内機に関するものである。
【背景技術】
【０００２】
従来の空気調和機の室内機には、吸込口と室内熱交換器との間に設けた空気清浄フィルターに吸込口から流入した空気を通過させて空気を清浄化するようにしたものがある（例えば、特許文献１参照）。
特許文献１に記載の空気調和機の室内機では、収納部（３３３ｂ）に空気清浄フィルター（３３１）を収納し、収納部（３３３ｂ）を前面パネル（２５）の裏面に設置するようにしている。
【先行技術文献】
【特許文献】
【０００３】
【特許文献１】特開２００９−２１６２５０号公報
【発明の概要】
【発明が解決しようとする課題】
【０００４】
特許文献１に記載されている空気調和機の室内機は、風路抵抗が大きい空気清浄フィルターを傾斜させて設置しているが、空気清浄フィルターが前面パネルの裏面に設置されているため、空気清浄フィルターによって室内熱交換器の下段部への空気の流れが阻害されてしまう。室内熱交換器の下段部への空気の流れが阻害されると、室内熱交換器での熱交換に寄与する部分が減少し、室内熱交換器としての能力が低下してしまうことになる。
つまり、プレフィルターとは別体の空気清浄フィルターを設けた空気調和機の室内機においては、室内熱交換器の能力低下の抑制と、空気清浄フィルターによる空気清浄能力との両立が求められる。【０００５】
本発明は、上記のような課題を解決するためになされたもので、熱交換器の能力低下を抑制しつつ、空気清浄フィルターによる空気清浄効果を得られるようにした空気調和機の室内機を提供することを目的とする。
【課題を解決するための手段】
【０００６】
本発明に係る空気調和機の室内機は、天面に吸込口を有し、下部に吹出口を有し、前記吸込口と前記吹出口とが連通する風路が形成された筐体と、前記筐体に収納された送風機と、前記筐体に収納され、前記送風機の上流側に設置された熱交換器と、前記筐体に収納され、前記熱交換器の上流側に設置された第１フィルターと、前記筐体の前面側に取り付けられる前面パネルと、前記前面パネルの裏面に設けられた凸部と、前記第１フィルターとは別体として、前記前面パネルの裏面側であって前記凸部と前記熱交換器との間に設けられた第２フィルターと、を備えたものである。
【発明の効果】
【０００７】
本発明に係る空気調和機の室内機によれば、前面パネルの裏面に凸部を設け、凸部と熱交換器の間に第２フィルターを設けたので、凸部によって、前面パネル側から空気清浄フィルターに向かう空気の流れを形成することができ、熱交換器の能力低下を抑制しながら、空気清浄効果を得ることができる。
【図面の簡単な説明】
【０００８】
【図１】本発明の実施の形態に係る室内機を備えた空気調和機の冷媒回路構成の一例を示す概略構成図である。
【図２】本発明の実施の形態に係る室内機の概略斜視図である。
【図３】本発明の実施の形態に係る室内機の前面パネルを開けた状態の概略斜視図である。
【図４】本発明の実施の形態に係る室内機に設置されるプレフィルターの構成の一例を概略的に示す概略斜視図である。
【図５】本発明の実施の形態に係る室内機に設置される空気清浄フィルターの構成の一例を概略的に示す概略斜視図である。
【図６】本発明の実施の形態に係る室内機の内部構成の一例を概略的に示す概略構成図である。
【図７】本発明の実施の形態に係る室内機における空気の流れを説明するための模式図である。
【発明を実施するための形態】
【０００９】
以下、図面に基づいてこの発明の実施の形態について説明する。なお、図１を含め、以下の図面では各構成部材の大きさの関係が実際のものとは異なる場合がある。また、図１を含め、以下の図面において、同一の符号を付したものは、同一又はこれに相当するものであり、このことは明細書の全文において共通することとする。さらに、明細書全文に表わされている構成要素の形態は、あくまでも例示であって、これらの記載に限定されるものではない。
【００１０】
実施の形態．
図１は、本発明の実施の形態に係る室内機２を備えた空気調和機１の冷媒回路構成の一例を示す概略構成図である。なお、図１では、冷房運転時の冷媒の流れを実線矢印で示し、暖房運転時の冷媒の流れを破線矢印で示している。
【００１１】
＜空気調和機１の構成＞
図１に示すように、空気調和機１は、室内機２と、室外機３と、を備えている。
室内機２は、室内熱交換器４と、室内送風機５とを備えている。
室外機３は、室外熱交換器６と、室外送風機７と、圧縮機８と、四方切換弁９と、膨張弁１０とを備えている。
そして、室内機２と室外機３とは、ガス側連絡配管１１及び液側連絡配管１２により互いに接続されており、これにより冷媒回路１３が構成されている。
【００１２】
空気調和機１では、四方切換弁９の経路を切り換えることにより、冷房運転と暖房運転とを切り換えることができる。図１において実線で示される四方切換弁９の経路の場合、空気調和機１は冷房運転を行う。一方、図１において破線で示される四方切換弁９の経路の場合、空気調和機１は暖房運転を行う。
【００１３】
（室内機２）
室内機２は、空調対象空間に冷熱又は温熱を供給できる空間（例えば、屋内等の空調対象空間、又は、ダクトなど介して空調対象空間と接続された別の空間）に設置され、室外機３から供給される冷熱又は温熱により空調対象空間を冷却又は加温する機能を有する。
【００１４】
室内熱交換器４は、暖房運転時には凝縮器として機能し、冷房運転時には蒸発器として機能するものである。室内熱交換器４は、例えば、フィン・アンド・チューブ型熱交換器で構成することができる。
室内熱交換器４が、本発明の「熱交換器」に相当する。
【００１５】
室内送風機５は、室内熱交換器４に囲まれるように配置されており（図６参照）、室内熱交換器４に熱交換流体である空気を供給するものである。室内送風機５は、例えば、貫流ファンで構成することができる。
室内送風機５が、本発明の「送風機」に相当する。
【００１６】
（室外機３）
室外機３は、空調対象空間とは別空間（例えば屋外）に設置され、室内機２に冷熱又は温熱を供給する機能を有する。
【００１７】
室外熱交換器６は、暖房運転時には蒸発器として機能し、冷房運転時には凝縮器として機能するものである。
室外送風機７は、室外熱交換器６に熱交換流体である空気を供給するものである。室外送風機７は、例えば複数の翼を有するプロペラファンで構成することができる。
【００１８】
圧縮機８は、冷媒を圧縮して吐出するものである。圧縮機８は、例えば、ロータリ圧縮機、スクロール圧縮機等で構成することができる。室外熱交換器６が凝縮器として機能する場合、圧縮機８から吐出された冷媒は、冷媒配管を通り、室外熱交換器６へ送られる。室外熱交換器６が蒸発器として機能する場合、圧縮機８から吐出された冷媒は、冷媒配管を通り、室内機２を経由した後に、室外熱交換器６へ送られる。
【００１９】
四方切換弁９は、圧縮機８の吐出側に設けられ、暖房運転と冷房運転とにおいて冷媒の流れを切り替えるものである。なお、例えば、二方弁の組み合わせ又は三方弁の組み合わせ等を四方切換弁９の代用としてもよい。
膨張弁１０は、室内熱交換器４又は室外熱交換器６を経由した冷媒を膨張させて減圧するものである。膨張弁１０は、例えば冷媒の流量を調整可能な電動膨張弁等で構成するとよい。なお、膨張弁１０を、室外機３ではなく、室内機２に配置してもよい。
【００２０】
冷媒回路１３は、圧縮機８、室内熱交換器４、膨張弁１０、及び、室外熱交換器６が、ガス側連絡配管１１及び液側連絡配管１２を含んだ冷媒配管によって接続されることで形成される。
なお、四方切換弁９を設けずに、冷媒回路１３における冷媒の流れを一定方向としてもよい。
【００２１】
＜空気調和機１の動作＞
次に、空気調和機１の動作について、冷媒の流れとともに説明する。ここでは、熱交換流体が空気であり、被熱交換流体が冷媒である場合を例に、空気調和機１の動作について説明する。
【００２２】
空気調和機１が実行する冷房運転について説明する。
圧縮機８を駆動させることによって、圧縮機８から高温高圧のガス状態の冷媒が吐出する。以下、実線矢印にしたがって冷媒が流れる。圧縮機８から吐出した高温高圧のガス冷媒（単相）は、四方切換弁９を介して凝縮器として機能する室外熱交換器６に流れ込む。室外熱交換器６では、流れ込んだ高温高圧のガス冷媒と、室外送風機７によって供給される空気との間で熱交換が行われて、高温高圧のガス冷媒は、凝縮して高圧の液冷媒（単相）になる。
【００２３】
室外熱交換器６から送り出された高圧の液冷媒は、膨張弁１０によって、低圧のガス冷媒と液冷媒との二相状態の冷媒になる。二相状態の冷媒は、蒸発器として機能する室内熱交換器４に流れ込む。室内熱交換器４では、流れ込んだ二相状態の冷媒と、室内送風機５によって供給される空気との間で熱交換が行われて、二相状態の冷媒のうち液冷媒が蒸発して低圧のガス冷媒（単相）になる。この熱交換によって、空調対象空間が冷却されることになる。室内熱交換器４から送り出された低圧のガス冷媒は、四方切換弁９を介して圧縮機８に流れ込み、圧縮されて高温高圧のガス冷媒となって、再び圧縮機８から吐出する。以下、このサイクルが繰り返される。
【００２４】
空気調和機１が実行する暖房運転について説明する。
圧縮機８を駆動させることによって、圧縮機８から高温高圧のガス状態の冷媒が吐出する。以下、破線矢印にしたがって冷媒が流れる。圧縮機８から吐出した高温高圧のガス冷媒（単相）は、四方切換弁９を介して凝縮器として機能する室内熱交換器４に流れ込む。室内熱交換器４では、流れ込んだ高温高圧のガス冷媒と、室内送風機５によって供給される空気との間で熱交換が行われて、高温高圧のガス冷媒は、凝縮して高圧の液冷媒（単相）になる。この熱交換によって、空調対象空間が暖房されることになる。
【００２５】
室内熱交換器４から送り出された高圧の液冷媒は、膨張弁１０によって、低圧のガス冷媒と液冷媒との二相状態の冷媒になる。二相状態の冷媒は、蒸発器として機能する室外熱交換器６に流れ込む。室外熱交換器６では、流れ込んだ二相状態の冷媒と、室外送風機７によって供給される空気との間で熱交換が行われて、二相状態の冷媒のうち液冷媒が蒸発して低圧のガス冷媒（単相）になる。室外熱交換器６から送り出された低圧のガス冷媒は、四方切換弁９を介して圧縮機８に流れ込み、圧縮されて高温高圧のガス冷媒となって、再び圧縮機８から吐出する。以下、このサイクルが繰り返される。
【００２６】
＜室内機２の詳細＞
次に、室内機２について詳細に説明する。
図２は、室内機２の概略斜視図である。図３は、室内機２の前面パネル２３を開けた状態の概略斜視図である。図２及び図３に基づいて、室内機２について詳細に説明する。
なお、図２及び図３において、室内機２の壁面Ｋ側にある面を背面とし、その対面を前面とし、天井Ｔ側にある面を天面とし、天面の対面を下面とし、図２の右側の側面を右側面とし、右側面の対面を左側面として以下説明する。また、室内機２の内部部品についても同様の位置関係に基づいて説明する。
【００２７】
図２に示すように、室内機２は、例えば空調対象空間である居室Ｒの壁面Ｋに設置される。居室Ｒは、天井Ｔと壁面Ｋで囲まれた空間を有している。そして、室内機２は、壁面Ｋに背面が固定され、天面が天井Ｔに近接した状態で取り付けられるようになっている。
【００２８】
図２に示すように、室内機２は、横長の直方体状に形成された筐体２０を有する。ただし、筐体２０の形状を横長の直方体状に限定するものではない。
【００２９】
筐体２０は、前面が開口しており、この前面の開口部分を前面パネル２３で覆われている。筐体２０は、左右側面を側面パネル２４で覆われている。筐体２０は、背面を背面パネル２５で覆われている。筐体２０は、下面を背面パネル２５、下面パネル２６、及び、上下風向板２８で覆われている。筐体２０は、天面を天面パネル２７で覆われている。
【００３０】
天面パネル２７には格子状の開口部が形成され、この開口部が吸込口２１として機能する。つまり、室内機２は、天面にのみ吸込口２１が形成されており、正面視した状態において吸込口２１が見えない構成となっている。
また、前面パネル２３は、室内機２の前面側の意匠面を構成するものである。前面パネル２３には、前面パネル２３の高さ方向の中間部に筐体２０の幅方向に沿って凹部２３ａが形成されている。前面パネル２３は、筐体２０の前面を開閉可能な構造となっている。
さらに、図２及び図３に示すように、筐体２０の上下風向板２８で覆われる部分は開口されており、この開口が吹出口２２となる。具体的には、吹出口２２は、筐体２０の前面及び下面を含む下部に形成されている。
【００３１】
筐体２０の内部には、吸込口２１から流入した空気の中に含まれる大きな埃を捕集するためのプレフィルター３７と、吸込口２１から流入した空気の中に含まれる微細な埃を捕集するための空気清浄フィルター３８と、が設置されている。
プレフィルター３７が、本発明の「第１フィルター」に相当する。
空気清浄フィルター３８が、本発明の「第２フィルター」に相当する。
【００３２】
図４は、室内機２に設置されるプレフィルター３７の構成の一例を概略的に示す概略斜視図である。図５は、室内機２に設置される空気清浄フィルター３８の構成の一例を概略的に示す概略斜視図である。図６は、室内機２の内部構成の一例を概略的に示す概略構成図である。図４〜図６に基づいて、プレフィルター３７及び空気清浄フィルター３８について説明する。
【００３３】
プレフィルター３７は、筐体２０の室内熱交換器４の上流側に着脱自在に構成されている。プレフィルター３７は、一部を湾曲させた格子状の枠部３７ｂと、枠部３７ｂに貼り付けられたフィルター部３７ｃと、を有している。プレフィルター３７が室内機２に設置されると、図６に示すようにプレフィルター３７は筐体２０の前面側及び天面側に位置する。枠部３７ｂの一部を湾曲させることで、プレフィルター３７の筐体２０への着脱が容易となっている。
また、プレフィルター３７の枠部３７ｂの一部は、空気清浄フィルター３８が取り付けられる取付部３７ａとして形成されている。
【００３４】
空気清浄フィルター３８は、プレフィルター３７に比べて空気の流れを阻害する風路抵抗が大きいものである。空気清浄フィルター３８は、例えば直方体形状に形成されており、プレフィルター３７とは別体としてプレフィルター３７の取付部３７ａに着脱自在に保持される。そのため、空気清浄フィルター３８を筐体２０の内部に設置する際に、特別な部材を要しない。また、空気清浄フィルター３８をプレフィルター３７の一部に形成された取付部３７ａに取り付ける作業だけで、空気清浄フィルター３８を筐体２０の内部に設置できるので、空気清浄フィルター３８を、簡易に筐体２０の内部に取り付け、保持することが可能になる。
【００３５】
空気清浄フィルター３８は、例えば静電気を帯びた素材をハニカム構造とすることで構成できる。また、空気清浄フィルター３８は、例えば静電気を帯びた素材をプリーツ状として何層かの積層構造としてもよい。このような構成とすることで、空気清浄フィルター３８を通過する空気に含まれた微細な塵埃を、空気清浄フィルター３８の静電気により吸着することができる。
【００３６】
また、空気清浄フィルター３８を構成する素材、例えばセラミック素材に触媒を蒸着することで脱臭機能を持たせることができる。さらに、空気清浄フィルター３８を構成する素材、例えばセラミック素材に抗菌成分を含ませることで抗菌機能を持たせることができる。なお、このような機能は、ニーズに応じて選択すればよい。また、空気清浄フィルター３８の構成素材、大きさ、形状等については、特に限定するものではなく、室内機２の構成に応じて決定すればよい。
【００３７】
図６に示すように、筐体２０の内部には、吸込口２１と吹出口２２とが連通する風路５０が形成されている。
また、吹出口２２には、上下風向板２８が設置されている。室内送風機５から吹出口２２に至る風路５０には、左右風向板２９が設置されている。
上下風向板２８は、吹出口２２から吹き出す空気の風向を上下方向に調整するものであり、運転停止時には吹出口２２を閉じ、室内機２の下部の意匠面を兼ねるように構成されている。
左右風向板２９は、上下風向板２８の上流側に設置されており、吹出口２２から吹き出す空気の風向を左右方向に調整するものである。
【００３８】
また、図６に示すように、筐体２０の内部には、室内送風機５と、室内熱交換器４と、が収納されている。室内熱交換器４は、風路５０において室内送風機５の上流側に配置されている。室内送風機５は、図示省略のモータの駆動によって風路５０に空気の流れを生じさせるものである。室内送風機５は、風路５０において室内熱交換器４の下流側に配置されている。具体的には、室内熱交換器４は、室内送風機５の周囲、つまり室内送風機５の上流側に配置され、冷媒回路１３を循環する冷媒と室内送風機５によって供給される室内空気とが熱交換するものである。
【００３９】
また、室内熱交換器４は、室内熱交換器４を上下２つの部分となるように、室内熱交換器４の高さ方向の一部を折り曲げた曲げ部４ａを有している。なお、曲げ部４ａを室内熱交換器４の複数箇所に設けてもよい。つまり、筐体２０の内部における室内熱交換器４の配置及び大きさなどに応じて曲げ部４ａが設けられることになる。
【００４０】
筐体２０内における室内熱交換器４の上流にはプレフィルター３７が配置され、プレフィルター３７には空気清浄フィルター３８が取り付けられている。
さらに、前面パネル２３の凹部２３ａに対応する筐体２０の内部側、つまり前面パネル２３の裏面には、風路５０側に突出する凸部２３ｂが形成されている。
【００４１】
例えば、凹部２３ａ及び凸部２３ｂは、前面パネル２３を外側から内側に向けて凹ませることで形成することができる。こうすることで、前面パネル２３に、凹部２３ａ及び凸部２３ｂをまとめて一体的に形成することが可能になり、凸部２３ｂを簡易に形成することができる。ただし、前面パネル２３に凹部２３ａを形成することなく、前面パネル２３の裏面に凸部２３ｂを形成してもよい。この場合、前面パネル２３の裏面の一部を筐体２０の内部側に突出させることで、凸部２３ｂを形成すればよい。あるいは、別部品として形成した凸部２３ｂを前面パネル２３の裏面に取り付けるようにしてもよい。
【００４２】
なお、凸部２３ｂを前面パネル２３の幅方向の全体にわたって形成してもよいが、これに限定するものではない。後述するが、凸部２３ｂにより空気清浄フィルター３８に向けた空気の流れを形成するため、凸部２３ｂは空気清浄フィルター３８の幅方向に対応した長さで形成されればよい。また、凸部２３ｂの断面形状を図６に示した矩形状に限定するものではなく、三角形状、五角形以上の多角形状としてもよいし、曲面を用いて空気の流れに沿ってなだらかな形状としてもよい。
【００４３】
前面パネル２３により筐体２０を閉じた状態において、凸部２３ｂと、空気清浄フィルター３８と、曲げ部４ａとが、前面パネル２３から室内送風機５に向かって、概ね直線状に位置するようになっている。つまり、凸部２３ｂ、空気清浄フィルター３８、及び、曲げ部４ａが、図６に示す線Ｘに沿って並んでいる。さらに言えば、室内機２を前面側から見た状態において、凹部２３ａを水平方向に投影した位置に、凸部２３ｂ、空気清浄フィルター３８、及び、曲げ部４ａが位置するようになっている。なお、線Ｘは、室内機２が壁面Ｋに設置された状態において水平方向に伸びる直線である。また、曲げ部４ａが複数箇所に設けられている場合には、そのうちの１つの曲げ部４ａが、凸部２３ｂ及び空気清浄フィルター３８と概ね直線状に位置すればよい。
【００４４】
図７は、室内機２における空気の流れを説明するための模式図である。図７に基づいて、室内機２における空気の流れについて説明する。
なお、図７では、筐体２０の内部における空気の流れを矢印Ａ１〜矢印Ａ７として示している。そのうちの矢印Ａ１〜矢印Ａ４は、筐体２０の内部における吸込口２１の近傍の空気の流れを示している。
【００４５】
室内送風機５が駆動すると、空気が吸込口２１から筐体２０の内部へと吸い込まれる。
吸込口２１から筐体２０の内部に吸い込まれた空気の一部は、上段部の室内熱交換器４へ供給される（矢印Ａ１）。なお、上段部の室内熱交換器４とは、曲げ部４ａよりも紙面上側に位置している室内熱交換器４のことである。
吸込口２１から筐体２０の内部に吸い込まれた空気の一部は、前面パネル２３の内側を沿って流れ、凸部２３ｂに接触して、室内熱交換器４の方向へと向かう（矢印Ａ２）。
【００４６】
吸込口２１から筐体２０の内部に吸い込まれた空気の一部は、前面パネル２３の内側と空気清浄フィルター３８との間を通過し、下段部の室内熱交換器４へ供給される（矢印Ａ３）。なお、下段部の室内熱交換器４とは、曲げ部４ａよりも紙面下側に位置している室内熱交換器４のことである。
吸込口２１から筐体２０の内部に吸い込まれた空気の一部は、前面パネル２３の内側と空気清浄フィルター３８との間から空気清浄フィルター３８を通過し、室内熱交換器４の方向へと向かう（矢印Ａ４）。
【００４７】
矢印Ａ４に示すように、前面パネル２３の内側と空気清浄フィルター３８との間を通過する空気は、矢印Ａ２に示す空気の流れによって空気清浄フィルター３８を通過することになる。空気清浄フィルター３８を通過した空気は、室内熱交換器４に向かう。
【００４８】
一方、矢印Ａ３に示すように、前面パネル２３の内側と空気清浄フィルター３８との間を通過する空気は、前面パネル２３の内側と空気清浄フィルター３８との間を通過する際に、矢印Ａ２に示す空気の流れによって、室内熱交換器４に向きながらも、空気清浄フィルター３８を通過することなく、室内熱交換器４の下部に向かう。
【００４９】
室内熱交換器４に供給された空気は、室内熱交換器４を通過する際に室内熱交換器４の内部を流れる冷媒と熱交換される。そして、冷房運転であれば冷やされ、暖房運転であれば温められて、室内送風機５に至る（矢印Ａ５）。室内送風機５の内部、もしくは、室内送風機５と背面パネル２５との隙間を通過した空気（矢印Ａ６）は、吹出口２２から前方もしくは下方に向かって吹き出される（矢印Ａ７）。
【００５０】
図７に示すように、空気清浄フィルター３８は、吸込口２１から流入した空気の流れに沿う方向に設置されている。詳しくは、空気清浄フィルター３８は、空気清浄フィルター３８の空気流入面が、鉛直方向となるようにしてプレフィルター３７に保持されている。そのため、凸部２３ｂが存在しない場合、空気抵抗の大きい空気清浄フィルター３８には空気がほとんど通過しない。つまり、吸い込まれた空気は、空気清浄フィルター３８の表面上に沿って流れてしまうことになる。空気清浄フィルター３８を空気が通過しないため、空気の流れを阻害することはなく、室内熱交換器４の能力低下とはならないが、空気清浄効果が得られない。
【００５１】
一方、室内機２の前面パネル２３の裏面には凸部２３ｂが設けられているため、凸部２３ｂによって室内機２の内側へ向かう空気の流れ（矢印Ａ２）が形成されることになる。つまり、凸部２３ｂによって、筐体２０の内部の流れを大きく阻害することなく、一部の空気を空気清浄フィルター３８に通過させることができる。したがって、室内機２では、室内熱交換器４の能力低下を抑えながら、空気清浄フィルター３８による空気清浄効果も得ることができる。
【００５２】
また、空気清浄フィルター３８の下流側には室内熱交換器４の曲げ部４ａが位置している。図７からわかるように、曲げ部４ａは、室内熱交換器４の本体部分と比較して相対的に空気抵抗が小さい。そのため、凸部２３ｂを設けることで、より多くの空気の流れを形成することができる。すなわち、空気清浄フィルター３８の空気抵抗は大きいものの、下流側の曲げ部４ａの空気抵抗は小さいため、空気が空気清浄フィルター３８へ流れやすくなるという効果が得られ、より空気清浄効果が得られる。
【００５３】
以上のように、室内機２は、天面に吸込口２１を有し、下部に吹出口２２を有し、吸込口２１と吹出口２２とが連通する風路５０が形成された筐体２０と、筐体２０に収納された室内熱交換器４と、筐体２０の室内熱交換器４の下流側に収納された室内送風機５と、筐体２０の前面側を覆う前面パネル２３と、前面パネル２３の裏面に設けられた凸部２３ｂと、筐体２０の内部であって凸部２３ｂと室内熱交換器４の間に設けられた空気清浄フィルター３８と、を備えたものである。
そのため、室内機２によれば、凸部２３ｂによって、前面パネル２３側から空気清浄フィルター３８に向かう空気の流れを形成することができるので、室内熱交換器４の能力低下を抑制しながら、空気清浄効果を得ることができることになる。
【００５４】
また、室内機２は、室内熱交換器４が、高さ方向の一部を折り曲げた曲げ部４ａを有しており、凸部２３ｂ、空気清浄フィルター３８、及び、室内熱交換器４の曲げ部４ａが、側面視直線状、例えば水平方向に側面視直線状に並んで配置されている。
そのため、室内機２によれば、室内熱交換器４の本体部分よりも空気抵抗が小さい曲げ部４ａを空気清浄フィルター３８の下流側に位置させたことで、空気清浄フィルター３８に向けた空気の流れをより多くすることができる。
【００５５】
また、室内機２は、室内熱交換器４の上流側にプレフィルター３７を設け、空気清浄フィルター３８は、空気流入面が鉛直方向となるようにプレフィルター３７の一部に保持されている。
そのため、室内機２によれば、空気清浄フィルター３８の設置に特別な部材を要することがなく、簡易に筐体２０の内部に取り付け、保持することができる。
【００５６】
また、室内機２によれば、凸部２３ｂが、前面パネル２３の一部に形成された凹部２３ａと一体的に構成されているので、凸部２３ｂを簡易に形成することが可能になる。
【符号の説明】
【００５７】
１  空気調和機、２  室内機、３  室外機、４  室内熱交換器、４ａ  曲げ部、５  室内送風機、６  室外熱交換器、７  室外送風機、８  圧縮機、９  四方切換弁、１０  膨張弁、１１  ガス側連絡配管、１２  液側連絡配管、１３  冷媒回路、２０  筐体、２１  吸込口、２２  吹出口、２３  前面パネル、２３ａ  凹部、２３ｂ  凸部、２４  側面パネル、２５  背面パネル、２６  下面パネル、２７  天面パネル、２８  上下風向板、２９  左右風向板、３７  プレフィルター、３７ａ  取付部、３７ｂ  枠部、３７ｃ  フィルター部、３８  空気清浄フィルター、５０  風路、Ａ１  空気の流れ、Ａ２  空気の流れ、Ａ３  空気の流れ、Ａ４  空気の流れ、Ａ５  空気の流れ、Ａ６  空気の流れ、Ａ７  空気の流れ、Ｋ  壁面、Ｒ  居室、Ｔ  天井。
【図１】
2018158940.tif 000003
【図２】
2018158940.tif 000004
【図３】
2018158940.tif 000005
【図４】
2018158940.tif 000006
【図５】
2018158940.tif 000007
【図６】
2018158940.tif 000008
【図７】
2018158940.tif 000009
【手続補正書】
【提出日】令和1年6月12日(2019.6.12)
【手続補正１】
【補正対象書類名】明細書
【補正対象項目名】０００６
【補正方法】変更
【補正の内容】
【０００６】
本発明に係る空気調和機の室内機は、天面にのみ吸込口を有し、下部に吹出口を有し、前記吸込口と前記吹出口とが連通する風路が形成された筐体と、前記筐体に収納された送風機と、前記筐体に収納され、前記送風機の上流側に設置された熱交換器と、前記筐体に収納され、前記熱交換器の上流側に設置された第１フィルターと、前記筐体の前面側に取り付けられる前面パネルと、前記前面パネルの裏面に設けられた凸部と、前記第１フィルターとは別体として、前記前面パネルの裏面側であって前記凸部と前記熱交換器との間に設けられた第２フィルターと、を備えたものである。
【手続補正２】
【補正対象書類名】特許請求の範囲
【補正対象項目名】全文
【補正方法】変更
【補正の内容】
【特許請求の範囲】
【請求項１】
天面にのみ吸込口を有し、下部に吹出口を有し、前記吸込口と前記吹出口とが連通する風路が形成された筐体と、
前記筐体に収納された送風機と、
前記筐体に収納され、前記送風機の上流側に設置された熱交換器と、
前記筐体に収納され、前記熱交換器の上流側に設置された第１フィルターと、
前記筐体の前面側に取り付けられる前面パネルと、
前記前面パネルの裏面に設けられた凸部と、
前記第１フィルターとは別体として、前記前面パネルの裏面側であって前記凸部と前記熱交換器との間に設けられた第２フィルターと、を備えた
空気調和機の室内機。
【請求項２】
前記熱交換器は、高さ方向の一部を折り曲げた曲げ部を有しており、
前記凸部、前記第２フィルター、及び、前記曲げ部が、側面視で水平方向に直線状に並んで配置されている
請求項１に記載の空気調和機の室内機。
【請求項３】
前記第２フィルターは、
空気流入面が鉛直方向となるように前記第１フィルターの一部に保持されている
請求項１又は２に記載の空気調和機の室内機。
【請求項４】
前記凸部は、
前記前面パネルの表面側の一部に形成された凹部と一体的に構成されている
請求項１〜３のいずれか一項に記載の空気調和機の室内機。
【国際調査報告】
2018158940.tif 000010
2018158940.tif 000011
2018158940.tif 000012
2018158940.tif 000013